(57)【要約】    【課題】  真空採血管と組み合わせて用いられる真空採血器具であって、採血時あるいは採血終了時の逆流を確実に防止することができる構造が備えられた真空採血器具を提供する。    【解決手段】  真空採血管３が挿入されて真空採血に際して用いられる真空採血器具２であって、筒状のホルダー本体６に針取り付け部７が設けられており、該針取り付け部７の内部空間７ａに、採血針１０及び真空採血管に挿入される連通針８の基部１０ａ，８ａが開口しており、該内部空間７ａ内において血液の逆流を防止するための逆流防止部材１１が収納されている、真空採血器具。【選択図】      図１
2005328983.tif 000002
【特許請求の範囲】
【請求項１】
真空採血管と組み合わせて用いられる真空採血器具であって、
開口された第１の端部を有し、該第１の端部から真空採血管が挿入されるように構成されている筒状のホルダー本体と、
前記筒状のホルダー本体の第１の端部と反対側の第２の端部側に設けられており、かつ内部空間を有する針取り付け部と、
前記針取り付け部の内部空間に基部が開口しており、先端が該針取り付け部からホルダー本体の長さ方向外側に延びるように取り付けられており、採血に際して血管に挿入される採血針と、
前記針取り付け部の内部空間において基部が開口しており、先端が前記ホルダー本体の第２の端部側から第１の端部側に向かってホルダー本体内に延ばされており、真空採血管の栓体を刺通するために設けられている連通針とを備え、
前記採血針及び連通針の基部が開口されている内部空間を有する針取り付け部の該内部空間に、前記連通針から採血針側への逆流を防止する逆流防止部材が設けられていることを特徴とする、真空採血器具。
【請求項２】
前記針取り付け部が、前記ホルダー本体の第２の端部から第１の端部とは反対側に向かって突出されており、かつホルダー本体よりも小さな径の筒状部である、請求項１に記載の真空採血器具。
【請求項３】
前記逆流防止部材が、血流により移動可能であり、逆流時に前記内部空間に開いた採血針の基部開口への流路を閉塞するように移動される部材である、請求項１または２に記載の真空採血器具。
【請求項４】
前記逆流防止部材が弾性体により構成されている、請求項１〜３のいずれか１項に記載の真空採血器具。
【請求項５】
前記針取り付け部の内部空間において、前記逆流防止部材を、採血針の基部側に付勢する付勢手段がさらに備えられている、請求項１〜４のいずれか１項に記載の真空採血器具。
【請求項６】
前記付勢手段がコイルバネである、請求項５に記載の真空採血器具。
【請求項７】
前記逆流防止部材と前記連通針の基部とを分離するために前記内部空間内に配置されており、かつ血液が通過する貫通孔が設けられた分離壁をさらに備える、請求項１〜６のいずれか１項に記載の真空採血器具。
【請求項８】
前記針取り付け部内において、血流を遮断する方向に延び、かつ血液が通過する貫通孔を有する仕切り板が取り付けられており、
前記仕切り板の前記連通針側の面にシート状もしくはフィルム状の逆流防止部材が固定されており、
前記シート状もしくはフィルム状の逆流防止部材は、採血時に前記貫通孔を通過してきた血液により前記仕切り板の連通針側の面から浮かされて、前記貫通孔を連通針側と連通させ、逆流時には、逆流により前記貫通孔を閉成するように構成されている、請求項１に記載の真空採血器具。
【請求項９】
請求項１〜８のいずれか１項に記載の真空採血器具と、該真空採血器具のホルダー本体に挿入される真空採血管とを備える、真空採血システム。
【発明の詳細な説明】
【技術分野】
【０００１】
本発明は、真空採血管と組み合わせて用いられる真空採血器具であって、真空採血管の栓体に刺通される採血針が取り付けられており、かつ真空採血に際しての逆流を防止する構造が備えられた真空採血器具に関する。
【背景技術】
【０００２】
従来、真空採血に際しては、採血針が固定された採血ホルダーに真空採血管を挿入することにより採血が行われていた。このような真空採血器具の一例が、例えば、下記の特許文献１に記載されている。
【０００３】
図１０は、特許文献１に記載の真空採血器具を示す部分切欠縦段面図である。ここでは、真空採血器具２０１は、筒状のホルダー本体２０２を有する。ホルダー本体２０２の一方端部には、開口２０２ａが設けられている。開口２０２ａから、真空採血管が挿入される。
【０００４】
他方、開口２０２ａと反対側の端部には、針取り付け部２０３が設けられている。この針取り付け部２０３に、真空採血針２０４が固定されている。採血針２０４の先端２０４ａは、ホルダー本体２０２から外側に延ばされている。採血針２０４の先端２０４ａが、人の血管に挿入される。他方、採血針２０４の後端２０４ｂ近傍は、ホルダー本体２０２内に延ばされており、周囲がゴム鞘２０５により被覆されている。
【０００５】
真空採血器具２０１による真空採血に際しては、採血針２０４の先端２０４ａが血管に挿入される。そして、真空採血管がホルダー本体２０２の開口２０２ａ側から挿入され、栓体が採血針２０４の後端２０４ｂにより刺通される。真空採血管内は減圧されているため、圧力差により血液が真空採血管内に導かれる。
【０００６】
そして、真空採血管内に所定置の血液が採取され、真空採血管内の圧力と、血管の圧力とが等しくなった時点で採血が終了する。採血される血液の量に応じて、真空採血管内の減圧度が定められている。
【０００７】
ところで、上記採血に際し、ホルダー本体２０２及び真空採血管が血管よりも上方に位置した場合、あるいは真空採血管内の圧力が血管内の圧力よりも高くなったりした場合、逆流が生じる恐れがある。
【０００８】
他方、真空採血管内には、ヘパリンなどの抗凝固剤や他の薬剤が収納されていることが多い。従って、上記逆流が生じると、これらの抗凝固剤や薬剤などが血管に導かれ、人体に好ましくない影響を与えるおそれがあった。
【０００９】
上記のような逆流を防止する構造を備えた真空採血器具が、例えば下記の特許文献２に開示されている。図１１は、特許文献２に記載の採血器具を示す縦断面図である。採血器具３０１は、筒状のホルダー３０２を有する。ホルダー３０２の一端に開口３０２ａが設けられている。開口３０２ａ側から真空採血管が挿入されるように構成されている。ホルダー３０２の上端には、針取り付け部３０３が設けられている。針取り付け部３０３においては、ホルダー３０２内に延びるように、すなわち下方に延びるように、連通針３０４が取り付けられている。連通針３０４は中空針からなり、その下端３０４ａが、真空採血管の栓体を刺通するように構成されている。
【００１０】
他方、針取り付け部３０３が、上方に延びるように真空採血針３０５が取り付けられている。採血針３０５の先端３０５ａが血管に挿入される部分である。採血針３０５の基部３０５ｂは、針取り付け部３０３内の内部空間３０３ａに開いている。前述した連通針３０４の基部も内部空間３０３ａに開いている。
【００１１】
他方、内部空間３０３ａ内には、逆流防止部材３０７が設けられている。逆流防止部材３０７は、他端において、互いの内側面が接触するように配置された弾性シート３０７ａ，３０７ｂを有する。真空採血に際しての血流により、シート３０７ａ，３０７ｂの接触している部分が開かれ、血液が真空採血管側に導かれる。他方、シート３０７ａ，３０７ｂの他端は、上記血流が作用しない場合には、図１１に示されているように接触されている。従って、逆流が生じた場合には、シート３０７ａ，３０７ｂ間が図示のように閉じられているため、血液が内部空間３０３ａから採血針３０５側に流れない。
【特許文献１】特開平６−７３３０号公報
【特許文献２】特開昭５３−９７２８９号公報
【発明の開示】
【発明が解決しようとする課題】
【００１２】
上記のように、特許文献２に記載の採血器具では、真空採血に際しての血液の血管側への逆流が上記逆止め弁により防止されると記載されている。
【００１３】
しかしながら、上記逆止め弁は、弾性を有し、自己封止性を有するシート３０７ａ，３０７ｂにより構成されており、このような逆止め弁では、逆流を必ずしも防止することはできなかった。すなわち、シート３０７ａ，３０７ｂからなる逆流防止構造を採用した場合には、採血時に血液の流れによりシート３０７ａ，３０７ｂ間が容易に開かねばならない。そのため、シート３０７ａ，３０７ｂを柔軟性を有する材料で構成し、さらにシート３０７ａ，３０７ｂの先端が容易に開くような厚みとする必要があった。しかしながら、シート３０７ａ，３０７ｂを上記のように設計すると、逆流防止のためにシート３０７ａ，３０７ｂが閉じている場合にも、閉じている部分が血流に曝され、逆流の圧力によりシート３０７ａ，３０７ｂの閉じている部分が開き、逆流を完全に止めることができないことがあった。
【００１４】
本発明の目的は、上述した従来技術の現状に鑑み、真空採血管と組み合わせて用いられる真空採血器具であって、血液の被採血者側への逆流を効果的に防止することを可能とする真空採血器具、並びに該真空採血器具を有する真空採血システムを提供することにある。
【課題を解決するための手段】
【００１５】
本発明は、真空採血管と組み合わせて用いられる真空採血器具であって、開口された第１の端部を有し、該第１の端部から真空採血管が挿入されるように構成されている筒状のホルダー本体と、前記筒状のホルダー本体の第１の端部と反対側の第２の端部側に設けられており、かつ内部空間を有する針取り付け部と、前記針取り付け部の内部空間に基部が開口しており、先端が該針取り付け部からホルダー本体の長さ方向外側に延びるように取り付けられており、採血に際して血管に挿入される採血針と、前記針取り付け部の内部空間において基部が開口しており、先端が前記ホルダー本体の第２の端部側から第１の端部側に向かってホルダー本体内に延ばされており、真空採血管の栓体を刺通するために設けられている連通針とを備え、前記採血針及び連通針の基部が開口されている内部空間を有する針取り付け部の該内部空間に、前記連通針から採血針側への逆流を防止する逆流防止部材が設けられていることを特徴とする。
【００１６】
本発明に係る真空採血器具のある特定の局面では、前記針取り付け部が、前記ホルダー
本体の第２の端部から第１の端部とは反対側に向かって突出されており、かつホルダー本体よりも小さな径の筒状部である。
【００１７】
本発明に係る真空採血器具の他の特定の局面では、前記逆流防止部材が、血流により移動可能であり、逆流時に前記内部空間に開いた採血針の基部開口への流路を閉塞するように移動される部材である。
【００１８】
好ましくは、上記逆流防止部材は弾性体により構成される。
【００１９】
本発明に係る真空採血器具のさらに別の特定の局面では、前記針取り付け部の内部空間において、前記逆流防止部材を、採血針の基部側に付勢する付勢手段がさらに備えられている。
【００２０】
上記付勢手段としては、例えばコイルバネが用いられる。
【００２１】
本発明に係る真空採血器具のさらに別の特定の局面では、前記逆流防止部材と前記連通針の基部とを分離するために前記内部空間内に配置されており、かつ血液が通過する貫通孔が設けられた分離壁をさらに備える。
【００２２】
本発明に係る真空採血器具のさらに他の特定の局面では、前記針取り付け部内において、血流を遮断する方向に延び、かつ血液が通過する貫通孔を有する仕切り板が取り付けられており、前記仕切り板の前記連通針側の面にシート状もしくはフィルム状の逆流防止部材が固定されており、前記シート状もしくはフィルム状の逆流防止部材は、採血時に前記貫通孔を通過してきた血液により前記仕切り板の連通針側の面から浮かされて、前記貫通孔を連通針側と連通させ、逆流時には、逆流により前記貫通孔を閉成するように構成されている。
【００２３】
本発明に係る真空採血システムは、本発明に従って構成された真空採血器具と、該真空採血器具のホルダー本体に挿入される真空採血管とを備える。
【発明の効果】
【００２４】
本発明に係る真空採血器具では、筒状のホルダー本体の真空採血管が挿入される第１の端部とは反対側の第２の端部側に内部空間を有する針取り付け部が設けられており、該針取り付け部に採血針及び連通針が取り付けられており、採血針及び連通針の基部が上記内部空間に開口しており、針取り付け部の上記内部空間に、連通針から採血針側への逆流を防止する逆流防止部材が設けられているため、真空採血時及び採血後の血液の逆流を確実に防止することができる。
【００２５】
本発明において、針取り付け部が、ホルダー本体の第２の端部から第１の端部とは反対側に向かって突出されており、かつホルダー本体よりも小さな径の筒状部である場合には、針取り付け部を小型に構成できるとともに、ホルダー本体と同時に合成樹脂等により容易に成形することができる。
【００２６】
逆流防止部材が、血流により移動可能であり、逆流時に内部空間に開いた採血針の基部開口への流路を閉塞するように移動される部材である場合には、内部空間内に上記逆流防止部材を収納するだけで、確実に逆流防止構造を形成することができる。
【００２７】
上記逆流防止部材が、弾性体により構成されている場合には、該逆流防止部材の弾力性を利用して、内部空間に開口している採血管の基部をより確実に封止することができる。
【００２８】
針取り付け部の内部空間において、逆流防止部材を採血針の基部側に付勢する付勢手段がさらに備えられている場合には、該付勢手段により逆流防止部材が採血針の基部開口を閉成するように速やかに移動される。従って、逆流をより一層確実に防止することができる。上記付勢手段がコイルバネで構成されている場合には、コイルバネを内部空間に挿入するだけで容易に上記付勢手段を構成することができるとともに、逆流防止部材をコイルバネにより速やかに内部空間において採血針の基部側に付勢することができる。
【００２９】
逆流防止部材と連通針との基部とを分離するために内部空間に配置されており、かつ血液が通過する貫通孔が設けられた分離壁がさらに備えられている場合には、上記分離壁の存在により逆流防止部材が連通針の基部の内部空間に開口している部分を誤って閉成する可能性を低減することができる。
【００３０】
針取り付け部内において、血流を遮断する方向に延び、かつ血液が通過する貫通孔を有する仕切り板が取り付けられており、仕切り板の上記連通針側の面にシート状もしくはフィルム状の逆流防止部材が固定されており、シート状もしくはフィルム状の逆流防止部材が、採血時に貫通孔を通過してきた血液により仕切り板の連通針側の面から浮かされて、貫通孔を連通針と連通させ、逆流時には、逆流により貫通孔を閉成するように構成されている場合には、上記シート状もしくはフィルム状の逆流防止部材により逆流を確実に防止することができる。また、上記シート状もしくはフィルム状の逆流防止部材を仕切り板の連通針側の面に固定するだけで、容易に逆流防止構造を構成することができる。
【００３１】
本発明に係る真空採血システムでは、本発明に従って構成された真空採血器具と、該真空採血器具のホルダー本体に挿入される真空採血管とを備えるため、本発明に従って、患者側への逆流を確実に防止することができる。
【発明を実施するための最良の形態】
【００３２】
以下、図面を参照しつつ、本発明の具体的な実施形態を説明することにより、本発明を明らかにする。
【００３３】
図１（ａ）は、本発明の第１の実施形態に係る真空採血システムを示す縦断面図であり、（ｂ）及び（ｃ）は、図１（ａ）の矢印Ｂ−Ｂ及び矢印Ｃ−Ｃで示す方向から見た断面図である。なお、図１（ｂ）においては、逆流防止部材１１の位置を模式的に示すこととする。
【００３４】
実施形態の真空採血システム１は、真空採血器具２と、真空採血管３とを有する。真空採血管３は、上端に開口４ａを有する採血管本体４と、採血管本体４の開口４ａを閉成している栓体５とを備える。採血管本体４は、上端に開口４ａを有する有底の円筒状の形状を有する。本発明に係る真空採血システムにおいて、上記真空採血管３を構成する採血管本体４の材料については、特に限定されず、合成樹脂またはガラスなどを用いることができる。好ましくは、透明な材料で採血管本体４が構成される。
【００３５】
採血管本体４の開口４ａを閉成するように取り付けられている栓体５は、ゴムやエラストマーなどの弾性材料により構成されている。真空採血管３内は、所定量の血液を圧力差により採取するために減圧されている。
【００３６】
他方、真空採血器具２は、略円筒状のホルダー本体６を有する。ホルダー本体６の下端すなわち、第１の端部側には、開口６ａが設けられている。開口６ａから真空採血管３が挿入されるように構成されている。上記開口６ａが形成されている第１の端部とは反対側の第２の端部には、針取り付け部７が構成されている。針取り付け部７は、本実施形態では、ホルダー本体６と合成樹脂により一体的に形成されている。もっとも、針取り付け部
７は、ホルダー本体６と異なる部材や異なる材料で構成されていてもよい。
【００３７】
針取り付け部７は、筒状のホルダー本体６よりも小さな径の円筒状部分として構成されている。もっとも、針取り付け部７の形状はこれに限定されるものではなく、角筒状などの他の形状であってもよい。
【００３８】
針取り付け部７は、内部空間７ａを有する。そして、針取り付け部７の下方には、連通針８が取り付けられている。連通針８は、その基部８ａが内部空間７ａに開いており、先端８ｂがホルダー本体６内に延ばされている。この先端８ｂは、真空採血管３の栓体５を刺通させるために配置されている。すなわち、連通針８は、内部空間７ａと真空採血管３内とを連通するために設けられている。
【００３９】
連通針８の表面を被覆するようにゴム鞘９が設けられている。ゴム鞘９は連通針６の外周面を被覆しており、血液の漏洩を防止するために設けられている。すなわち、ゴム鞘９は、図１０に示したゴム鞘２０５と同様の目的で配置されている。従って、図１に示す使用状態の前、すなわち使用される前の状態では、ゴム鞘９は、連通針８の先端８ｂをも被覆するように配置されている。
【００４０】
他方、針取り付け部７の上方に延びるように、採血針１０が針取り付け部７に取り付けられている。採血針１０の基部１０ａは内部空間７ａに開いており、先端１０ｂが、針取り付け部７からホルダー本体６とは反対側に延ばされている。先端１０ｂは、血管に挿入されて採血を行う部分に相当する。
【００４１】
従って、採血針１０と、連通針８とは、内部空間７ａを介して連通されている。
【００４２】
他方、内部空間７ａ内には、内壁に複数の突起７ｂが設けられている。突起７ｂが設けられている部分よりも上方、すなわち採血針１０側に逆流防止部材１１が収納されている。逆流防止部材１１は、本実施形態では、球状体とされている。また、上記逆流防止部材１１は、様々な材料で構成されるが、後述するように逆流を確実に防止するために採血針１０の基部１０ａを閉成するためには、好ましくは、弾性材料により構成される。
【００４３】
上記逆流防止部材１１を構成する材料としては、適宜の合成樹脂、あるいは上記弾性を有する材料としてのゴムやエラストマーなどを挙げることができる。
【００４４】
前述した複数の突起７ｂ，７ｂは、上記逆流防止部材１１が下方に落下し、連通針８の基部８ａを閉成するのを防止するために設けられている。従って、突起７ｂ，７ｂ間は、逆流防止部材１１を図１（ａ）に示されているように係止し、逆流防止部材１１が突起７ｂよりも連通針８側に移動しないように配置されている。
【００４５】
なお、複数の突起７ｂ，７ｂに代えて、同様の作用を果たす環状リブを内部空間７ａの内側壁に設けてもよい。
【００４６】
次に、本実施形態の真空採血システム１を用いた場合の採血に際しての操作及び逆流を防止する作用につき説明する。
【００４７】
採血に際しては、採血針１０の先端１０ａを血管を挿入する。そして、ホルダー本体６に、図１（ａ）に示されているように、真空採血管３を挿入していき、連通針８の先端８ｂを真空採血管３内に至らせる。その結果、真空採血管３内が減圧されているため、一定量の血液が真空採血管３内に採取される。
【００４８】
ところで、真空採血管３が患者の血管よりも上方に位置したり、何らかの外力等が加わり、真空採血管３に採取された血液が、連通針８を通り、採血針１０側に移動しようとした場合、すなわち逆流が生じた場合には、該逆流により逆流防止部材１１が図１（ａ）に示されている位置から採血針１０側に移動する。すなわち、採血針１０の基部１０ａの内部空間７ａに開いている部分が、上記逆流防止部材１１により閉成される。そのため、血液が採血針１０内に至らず、逆流を確実に防止することができる。
【００４９】
本実施形態では、上記のように、球体である逆流防止部材１１が採血針１０の基部１０ａの開口を閉じることにより逆流が防止される。従って、採血針１０内への血液の逆流を確実に防止することができる。特に、逆流防止部材１１が弾性体で構成されている場合には、採血針１０の基部１０ａの開口をより確実に逆流防止部材１１により閉成することができる。
【００５０】
図２は、上記真空採血器具２のある変形例を示す縦断面図である。
【００５１】
図１に示した真空採血器具２では、逆流防止部材１１が、内部空間７ａ内で採血針１０側及び突起７ｂ側に移動し得るように構成されていた。好ましくは、図２に示すように、付勢手段としてのコイルバネ１２が内部空間７ａ内に配置される。コイルバネ１２は、逆流防止部材１１を採血針１０の基部１０ａの開口を閉成する位置の方向に付勢している。他方、採血に際し圧力差により血液が採血針１０を経て内部空間７ａ側に導かれた際には、血流により圧縮される。そのため、図２に示されているように、逆流防止部材１１が、採血針１０の基部１０ａの開口を開く位置に移動される。従って、血液が内部空間７ａに導かれ、ひいては真空採血管側に導かれる。
【００５２】
他方、逆流が生じた場合には、図１に示した真空採血器具２の場合と同様に、逆流により、逆流防止部材１１が、採血針１０の基部１０ａの開口を閉じるように移動される。この場合、本変形例では、逆流による力だけでなく、コイルバネ１２の弾発力によっても、逆流防止部材１１が採血針１０の基部１０ａ側に移動される。従って、より一層速やかに逆流を防止することができる。
【００５３】
よって、上記コイルバネ１２は、採血に際しての血流によって圧縮され、かつ血流が生じた場合には、逆流防止部材１１を採血針１０の基部１０ａの開口を閉成するように付勢することが必要である。
【００５４】
なお、本変形例では、このような付勢手段としてはコイルバネ１２を示したが、コイルバネ１２以外のバネにより付勢手段を構成してもよく、バネ以外の弾発作用を有する部材により付勢手段を構成してもよい。
【００５５】
図３は、図１に示した真空採血器具２のさらに他の変形例を示す縦断面図である。図３に示す変形例の真空採血器具２Ｂでは、内部空間７ａに、球状ではない逆流防止部材１３が収納されている。逆流防止部材１３は、円筒部と、円筒部から採血針１０側に連ねられた円錐部とを有する形状を有する。そして、針取り付け部７においては、内部空間７ａの採血針１０側部分が、相対的に径の小さな空間部分７ａ1とされている。この空間部分７
ａ1に採血針１０の基部１０ａが開口している。
【００５６】
本変形例では、逆流防止部材１３の円筒部の径、すなわち円錐部の下端の径が、上記空間部分７ａ1の内径よりも大きくされている。従って、逆流が生じた場合には、逆流防止
部材１３が空間部分７ａ1側に移動され、該空間部分７ａ1を閉成する。言い換えれば、内部空間７ａに開いている採血針１０の基部１０ａの開口への流路が閉じられることになる。その他の構造については、図１に示した真空採血器具２と同様である。
【００５７】
本実施形態においても、逆流が生じた場合には、上記逆流防止部材１３が上記のように空間部分７ａ1側に移動されて、採血針１０側への血流の移動が防止される。従って、逆
流による血液の採血針１０側への移動を確実に防止することができる。
【００５８】
図４は、本発明に係る真空採血器具のさらに他の変形例を説明するための縦断面図である。図４に示す真空採血器具２Ｃでは、図３に示した真空採血器具２Ｂに加えて、付勢手段としてのコイルバネ１２がさらに設けられていることを除いては、図３に示した真空採血器具２Ｂと同様に構成されている。
【００５９】
付勢手段としてのコイルバネ１２は、図２に示したコイルバネ１２と同様に作用する。すなわち、使用前は、図４に示されているように、逆流防止部材１３を空間部分７ａ1を
閉じるように上方に、すなわち採血針１０側に付勢している。採血に際しては、血流によりコイルバネ１２が圧縮され、逆流防止部材１３は空間部分７ａ1から後退され、血液が
内部空間７ａに導かれる。逆流が生じた場合には、逆流の力と、コイルバネ１２の弾発力の双方により逆流防止部材１３が、図４に示す位置に再度戻される。従って、逆流により血液が採血針側に移動することを確実に防止することができる。
【００６０】
図５（ａ）は、本発明に係る真空採血器具のさらに他の変形例を説明するための縦断面図である。
【００６１】
図５（ａ）に示す真空採血器具２２では、針取り付け部７は、図３に示した針取り付け部７の場合と同様に、内部空間７ａを有し、かつ内部空間７ａの上方部分に、相対的に径の小さな空間部分７ａ1が設けられている。そして、円筒部と、円筒部の採血針側に連ね
られた円錐部とを有する逆流防止部材２３が内部空間７ａに収納されている。もっとも、本実施形態では、リブ７ｂ，７ｂに代えて、分離壁２４が内部空間７ａに配置されている。図５（ｂ）に平面図で示すように、分離壁２４は、貫通孔２４ａ，２４ａを有する。貫通孔２４ａ，２４ａは血液を通過させるために設けられてている。
【００６２】
他方、分離壁２４は、上記逆流防止部材２３よりも連通針側に配置されている。そして、上記貫通孔２４ａ，２４ａは、逆流防止部材２３を通過させない大きさとされている。従って、逆流防止部材２３は、分離壁２４により連通針側への移動が規制されている。よって、逆流防止部材２３により、連通針の基部の開口が閉成されるおそれがない。
【００６３】
他方、真空採血に際しては、血流により、逆流防止部材２３は、分離壁２４側に移動されることになる。しかしながら、逆流防止部材２３の移動は分離壁２４により上記のように規制されている。そして、血液は、貫通孔２４ａを通って、連通針側に導かれることになる。
【００６４】
なお、逆流が生じた場合には、血流の作用により、逆流防止部材２３の円錐部が空間部分７ａ1に挿入され、図３に示した変形例の場合と同様に血液が採血針側に流れることが
確実に防止される。
【００６５】
そして、貫通孔２４ａ，２４ａは、上記逆流防止部材２３が分離壁２４の上面に接触した場合であっても、血液の通過を妨げないような平面形状とされている（図５（ｂ）参照）。もっとも、この貫通孔２４ａ，２４ａの形状は特に限定されず、上記のように真空採血に際して血液を通過させることができる限り、適宜の形状とされ得る。また、貫通孔は、１個のみが設けられてもよい。
【００６６】
図６及び図７は、本発明の第２の実施形態に係る真空採血器具を説明するための縦断面
図である。第２の実施形態に係る真空採血器具４１では、針取り付け部７内において、仕切り板４３が形成されている。仕切り板４３は、内部空間７ａ内を、採血針１０側の空間部分と、連通針８側の空間部分とに区画している。仕切り板４３には、貫通孔４３ａが形成されている。貫通孔４３ａは、本実施形態では、１個のみが形成されているが、複数形成されていてもよい。そして、常時は貫通孔４３ａを閉成するように、逆流防止部材４４が仕切り板４３の下面、すなわち連通針８側の面に固定されている。逆流防止部材４４は、シート状もしくはフィルム状部材からなり、その全面が仕切り板４３の下面に固定されているわけではなく、貫通孔４３ａを覆っている部分の外側において固定されている。そして、常時は、図６に示されているように、逆流防止部材４４は、貫通孔４３ａを閉成しており、採血に際しては、図７に示すように、導かれてきた血液の力により、貫通孔４３ａを開くように先端部分が移動される。
【００６７】
従って、逆流防止部材４４は、このように、導かれる血流により、貫通孔４３ａを開くように移動され得るフィルム状もしくはシート状部材で構成される。もっとも、常時は、図６に示されているように、貫通孔４３ａは閉成されねばならない。従って、上記フィルム状もしくはシート状の逆流防止部材４４は、弾性復元力により、図６に示すように常時は貫通孔４３ａを閉成するように仕切り板４３の下面に密着しており、血流による力が加えられた際に、図７に示すように貫通孔４３ａから血液を下方に導き得るような材料で構成することが望ましい。
【００６８】
上記のような逆流防止部材４４及び仕切り板４３を用いることにより、逆流が生じた場合には、逆流防止部材４４の初期状態に戻ろうとする力と逆流の作用の双方により、貫通孔４３ａが確実に逆流防止部材４４で閉成され、血液の採血針１０側への移動を防止することができる。
【００６９】
図８は、図６に示した真空採血器具の変形例を示す縦断面図である。図６では、上記逆流防止部材４４は、一端側で固定されており、他端側が仕切り板４３の下面から下方に移動するように構成されていたが、図８に示す逆流防止部材４５では、図９（ｂ）に底面図で示すように、対向し合う一対の端縁部分４５ａ，４５ｂにおいて逆流防止部材４５は仕切り板４３の下面に固定されている。そして、他の部分は、仕切り板４３の下面に固着されていない。従って、図９（ａ）に示すように、真空採血に際して血液が導かれた場合には、血流の力により、逆流防止部材４５の中央部分が連通針８側に移動し、すなわち仕切り板４３の下面から浮かされることになるため、血液が連通針８側に移動される。
【００７０】
なお、逆流防止部材４５は、常時は、図９（ａ）に示す状態とは異なり、貫通孔４３ａを閉成するように、仕切り板４３の下面に密着されている。従って、逆流が生じた場合には、上記逆流防止部材４５が初期状態に戻ろうとする復元力と、逆流の力の双方により、貫通孔４３ａが逆流防止部材４５により確実に閉じられることになる。従って、血液の採血針１０側への移動を確実に防止することができる。
【図面の簡単な説明】
【００７１】
【図１】図１（ａ）は、本発明の第１の実施形態に係る真空採血システムを示す縦断面図、（ｂ）及び（ｃ）は、（ａ）における矢印Ｄ−Ｄ及びＣ−Ｃに沿う断面図。
【図２】図１に示した真空採血器具の変形例を示す縦断面図。
【図３】図１に示した真空採血器具の他の変形例を示す縦断面図。
【図４】図１に示した真空採血器具のさらに別の変形例を示す縦断面図。
【図５】図１に示した真空採血器具のさらに別の変形例を説明するための縦断面図及び（ｂ）は分離壁に設けられた貫通孔の形状を説明するための平面図。
【図６】第２の実施形態に係る真空採血器具を説明するための縦断面図。
【図７】図６に示した真空採血器具による真空採血に際し、血流の力により逆流防止部材が仕切り板から浮かされた状態を説明するための模式的縦断面図。
【図８】第３の実施形態の真空採血器具の変形例を説明するための縦断面図。
【図９】（ａ）及び（ｂ）は、図８に示した変形例において血液が真空採血管に導かれる際の逆流防止部材の変形状態を説明するための縦断面図、及び（ｂ）は逆流防止部材が仕切り板の下面に固定されている構造を説明するための底面図。
【図１０】従来の真空採血器具の一例を示す縦断面図。
【図１１】従来の真空採血器具の他の例を示す縦断面図。
【符号の説明】
【００７２】
１…真空採血システム
２…真空採血器具
３…真空採血管
４…採血管本体
５…栓体
６…ホルダー本体
６ａ…開口
７…針取り付け部
７ａ…内部空間
７ａ1…空間部分
７ｂ…突起
８…連通針
８ａ…基部
８ｂ…先端
９…ゴム鞘
１０…採血針
１０ａ…基部
１０ｂ…先端
１１…逆流防止部材
２Ｂ，２Ｃ，２Ｄ…真空採血器具
【図１】
2005328983.tif 000003
【図２】
2005328983.tif 000004
【図３】
2005328983.tif 000005
【図４】
2005328983.tif 000006
【図５】
2005328983.tif 000007
【図６】
2005328983.tif 000008
【図７】
2005328983.tif 000009
【図８】
2005328983.tif 000010
【図９】
2005328983.tif 000011
【図１０】
2005328983.tif 000012
【図１１】
2005328983.tif 000013